(57)【特許請求の範囲】
【請求項１】
複数のシリンダを有するエンジン本体と、
各シリンダに掃気ガスを供給する掃気管と、
空気を昇圧し前記掃気ガスとして前記掃気管に供給する主過給機と、
前記主過給機と並列に配置されており、空気を昇圧し前記掃気ガスとして前記掃気管に供給する副過給機と、
圧縮空気を内部に保有する圧縮空気タンクと、
前記圧縮空気タンクが保有する圧縮空気を前記掃気管に供給する圧縮空気供給配管と、
前記圧縮空気供給配管に設けられた圧縮空気制御弁と、を備え、
前記圧縮空気制御弁は、前記主過給機及び前記副過給機が稼動する並列運転から前記主過給機のみが稼動する単独運転へ移行する間の単独移行運転の際に開放される、エンジンシステム。
【請求項２】
複数のシリンダを有するエンジン本体と、
各シリンダに掃気ガスを供給する掃気管と、
空気を昇圧し前記掃気ガスとして主掃気配管を介して前記掃気管に供給する主過給機と、
前記主過給機と並列に配置されており、空気を昇圧し前記掃気ガスとして副掃気配管及び前記主掃気配管を介して前記掃気管に供給する副過給機と、
前記副掃気配管に設けられた副ブロワ出口弁と、
前記副排気配管の前記副ブロワ出口弁よりも上流側の部分に連結され、前記副過給機で昇圧された空気を外部へ放出する放風配管と、
前記放風配管に設けられた放風弁と、
圧縮空気を内部に保有する圧縮空気タンクと、
前記圧縮空気タンクが保有する圧縮空気を前記掃気管に供給する圧縮空気供給配管と、
前記圧縮空気供給配管に設けられた圧縮空気制御弁と、を備え、
前記主過給機のみが稼動する単独運転から前記主過給機及び前記副過給機が稼動する並列運転へ移行する間の並列移行運転の際には前記副ブロワ出口弁が閉じられるとともに前記放風弁が開放され、これに伴って、前記圧縮空気制御弁は前記並列移行運転の際における掃気圧の低下を抑えることができるよう前記並列移行運転の際に開放される、エンジンシステム。
【請求項３】
前記圧縮空気タンクは、エンジン始動用の圧縮空気を保有するタンクである、請求項１又は２に記載のエンジンシステム。
【請求項４】
前記主過給機及び前記副過給機が昇圧した空気を冷却するエアクーラをさらに備え、
前記圧縮空気供給配管は、前記エアクーラに前記圧縮空気を供給し、該圧縮空気は前記エアクーラを介して前記掃気管に供給される、請求項１乃至３のうちいずれか一の項に記載のエンジンシステム。
【請求項５】
前記圧縮空気制御弁は、前記単独移行運転が開始されると同時に開放される、請求項１に記載のエンジンシステム。
【請求項６】
前記圧縮空気制御弁は、前記並列移行運転が開始されると同時に開放される、請求項２に記載のエンジンシステム。
【請求項７】
前記圧縮空気制御弁は、前記掃気管内の圧力が所定値以下となったときに開放される、請求項１又は２に記載のエンジンシステム。
【請求項８】
前記圧縮空気供給配管に設けられた圧力調整弁をさらに備え、
前記圧力調整弁は、前記単独移行運転時における前記圧縮空気供給配管の出口圧力が、前記並列運転時における定常状態での前記圧縮空気供給配管の出口付近での圧力以上、かつ、前記単独運転時における定常状態での前記圧縮空気供給配管の出口付近での圧力以下となるように制御する、請求項１に記載のエンジンシステム。
【請求項９】
前記圧縮空気供給配管に設けられた圧力調整弁をさらに備え、
前記圧力調整弁は、前記並列移行運転時における前記圧縮空気供給配管の出口圧力が、前記並列運転時における定常状態での前記圧縮空気供給配管の出口付近での圧力以上、かつ、前記単独運転時における定常状態での前記圧縮空気供給配管の出口付近での圧力以下となるように制御する、請求項２に記載のエンジンシステム。
【請求項１０】
前記圧縮空気供給配管に設けられ、掃気ガスが前記圧縮空気タンクに向かって流れるのを防ぐ逆止弁をさらに備える、請求項８又は９に記載のエンジンシステム。
【発明の詳細な説明】
【技術分野】
【０００１】
本発明は、複数台の過給機を備え、運転状況に応じて過給機の稼動台数を変えることができるエンジンシステムに関する。
【背景技術】
【０００２】
一般的に過給機を備えたエンジンシステムでは、エンジン本体が高負荷のときに効率のよい運転ができるように過給機が選定される。ただし、燃費等の観点から、エンジン本体を中負荷及び低負荷で運転することが多いエンジンシステムでは、主過給機と副過給機の２台の過給機を備える場合もある（特許文献１及び２参照）。
【０００３】
そのようなエンジンシステムでは、エンジン本体を高負荷で運転する場合には主過給機と副過給機の両方を稼動させ、エンジン本体を中負荷及び低負荷で運転する場合には主過給機のみを稼動させる。かかる構成によれば、エンジン本体を高負荷で運転する場合のみならず、中負荷及び低負荷で運転する場合も効率のよい運転が可能である。
【先行技術文献】
【特許文献】
【０００４】
【特許文献１】特開昭６０−１６６７１６号公報
【特許文献２】特開２００９−１６７７９９号公報
【発明の概要】
【発明が解決しようとする課題】
【０００５】
ただし、上記のエンジンシステムでは、過給機の稼動台数を変更する際、過給機のサージを回避するために掃気ガスの一部を外部に放出している。このような理由等から、過給機の稼動台数を変更する際には、掃気圧が一時的に落ち込み、エンジン本体の燃焼状態が悪化して、場合によっては失火するおそれがある。
【０００６】
本発明は、以上のような事情に鑑みてなされたものであって、過給機の稼動台数を変更する際に、エンジン本体の燃焼状態の悪化を抑えることができるエンジンシステムを提供することを目的としている。
【課題を解決するための手段】
【０００７】
本発明のある形態に係るエンジンシステムは、複数のシリンダを有するエンジン本体と、各シリンダに掃気ガスを供給する掃気管と、空気を昇圧し前記掃気ガスとして前記掃気管に供給する主過給機と、前記主過給機と並列に配置されており、空気を昇圧し前記掃気ガスとして前記掃気管に供給する副過給機と、圧縮空気を内部に保有する圧縮空気タンクと、前記圧縮空気タンクが保有する圧縮空気を前記掃気管に供給する圧縮空気供給配管と、前記圧縮空気供給配管に設けられた圧縮空気制御弁と、を備えている。
【０００８】
かかる構成によれば、掃気圧が低下したとき又は低下する直前に圧縮空気タンクが保有する圧縮空気を一気に、かつ一時的に掃気管に供給することができる。そのため、過給機の稼動台数を変更する際における掃気圧の低下を抑えることが可能であり、ひいてはエンジン本体の燃焼状態の悪化を抑えることができる。
【０００９】
また、上記のエンジンシステムにおいて、前記圧縮空気タンクは、エンジン始動用の圧縮空気を保有するタンクであってもよい。通常、エンジン始動と過給機の稼動台数の変更は同時に行われないことから、過給機の稼動台数を変更する際には、エンジン始動用の圧縮空気を利用することができる。そのため、上記の構成によれば、圧縮空気タンクを別途設ける必要がなく、エンジンシステム全体の製造コストを抑えることができるとともに、圧縮空気タンクの設置エリアを別途確保する必要もない。
【００１０】
また、上記のエンジンシステムにおいて、前記主過給機及び前記副過給機が昇圧した空気を冷却するエアクーラをさらに備え、前記圧縮空気供給配管は、前記エアクーラに前記圧縮空気を供給し、該圧縮空気は前記エアクーラを介して前記掃気管に供給してもよい。かかる構成によれば、圧縮されることで温度が高くなった圧縮空気を、エアクーラで冷却することができるため、掃気ガスの温度が圧縮空気によって上昇するのを抑えることができる。
【００１１】
また、上記のエンジンシステムにおいて、前記圧縮空気制御弁は、前記主過給機及び前記副過給機が稼動する並列運転から前記主過給機のみが稼動する単独運転へ移行する間の単独移行運転の際に開放されていてもよい。かかる構成によれば、単独移行運転時に掃気圧が低下するのを抑えることができる。
【００１２】
また、上記のエンジンシステムにおいて、前記圧縮空気制御弁は、前記主過給機のみが稼動する単独運転から前記主過給機及び前記副過給機が稼動する並列運転へ移行する間の並列移行運転の際に開放されていてもよい。かかる構成によれば、並列移行運転時に掃気圧が低下するのを抑えることができる。
【００１３】
また、上記のエンジンシステムにおいて、前記圧縮空気制御弁は、前記単独移行運転が開始されると同時に開放されてもよい。かかる構成によれば、単独移行運転の早い段階で掃気圧が低下してしまうような場合であっても、掃気圧の低下を抑えることができる。
【００１４】
また、上記のエンジンシステムにおいて、前記圧縮空気制御弁は、前記並列移行運転が開始されると同時に開放されてもよい。かかる構成によれば、並列移行運転の早い段階で掃気圧が低下してしまうような場合であっても、掃気圧の低下を抑えることができる。
【００１５】
また、上記のエンジンシステムにおいて、前記圧縮空気制御弁は、前記掃気管内の圧力が所定よりも低くなったときに開放されてもよい。かかる構成によれば、掃気圧が低くなったときに掃気管に圧縮空気が供給されるため、掃気管へ圧縮空気を不要に供給するのを防ぐことができる。
【００１６】
また、上記のエンジンシステムにおいて、前記圧縮空気供給配管に設けられた圧力調整弁をさらに備え、前記圧力調整弁は、前記単独移行運転時又は前記並列移行運転時における前記圧縮空気供給配管の出口圧力が、前記並列運転時における定常状態での前記圧縮空気供給配管の出口付近での圧力以上、かつ、前記単独運転時における定常状態での前記圧縮空気供給配管の出口付近での圧力以下となるように制御してもよい。かかる構成によれば、掃気圧の低下を有効に抑えつつ、掃気圧が過上昇するのを抑えることができる。
【００１７】
また、上記のエンジンシステムにおいて、前記圧縮空気供給配管に設けられ、掃気ガスが前記圧縮空気タンクに向かって流れるのを防ぐ逆止弁をさらに備えていてもよい。かかる構成によれば、掃気ガスが圧縮空気供給配管及び圧縮空気タンクに流れ込むことによって生じ得る不具合を防ぐことができる。
【発明の効果】
【００１８】
以上のとおり、上記のエンジンシステムによれば、過給機の稼動台数を変更する際に、燃焼状態の悪化を抑えることができる。
【図面の簡単な説明】
【００１９】
【図１】図１は、エンジンシステム全体の概略構成図である。
【図２】図２は、エンジンシステムの制御系のブロック図である。
【図３】図３は、台数削減制御を開始した後の掃気圧の時間変化を示した図である。
【図４】図４は、台数増加制御を開始した後の掃気圧の時間変化を示した図である。
【図５】図５は、圧縮空気供給制御のフロー図である。
【図６】図６は、変形例に係る圧縮空気供給制御のフロー図である。
【図７】図７は、他の形態に係るエンジンシステム全体の概略構成図である。
【発明を実施するための形態】
【００２０】
以下、本発明の実施形態について図を参照しながら説明する。以下では、全ての図面を通じて同一又は相当する要素には同じ符号を付して、重複する説明は省略する。
【００２１】
＜エンジンシステムの全体構成＞
まず、エンジンシステム１００の全体構成について説明する。図１は、エンジンシステム１００の全体の概略構成図である。図１において、太く描いた破線は排気ガスの流れを示しており、太く描いた実線は掃気ガスの流れを示している。エンジンシステム１００は、エンジン本体１０と、掃気管２０と、排気管３０と、主過給機４０と、副過給機５０と、圧縮空気タンク６０と、圧縮空気供給配管６１と、圧縮空気制御弁６２と、圧力調整弁６３と、を備えている。以下、これらの構成要素について順に説明する。
【００２２】
本実施形態のエンジン本体１０は、船舶の推進用主機であり、大型の２ストロークディーゼルエンジンである。ただし、エンジン本体１０は、４ストロークエンジンであってもよく、ガスエンジンやガソリンエンジンであってもよい。４ストロークエンジンであれば、「掃気」は「給気」と読み替えられる。エンジン本体１０は、複数のシリンダ１１を有しており、各シリンダ１１内で燃料が爆発燃焼することでピストン１２を駆動することができる。なお、エンジン本体１０には、エンジン回転数を測定するエンジン回転計１３、及び燃料流量を測定する燃料流量計１４（いずれも図２参照）が設けられている。
【００２３】
掃気管２０は、掃気ガスを一時的に収容する装置である。掃気管２０には、主過給機４０及び副過給機５０から掃気ガスが供給される。掃気管２０は、供給された掃気ガスを一時的に収容した後、当該掃気ガスを各シリンダ１１に供給する。なお、掃気管２０には、掃気管２０内における掃気ガスの圧力（以下、「掃気圧」と称する）を測定する掃気圧計２１が設けられている。
【００２４】
排気管３０は、排気ガスを一時的に収容する装置である。排気管には、エンジン本体１０の各シリンダ１１から排気ガスが供給される。排気管３０は、供給された排気ガスを一時的に収容した後、当該排気ガスを、主排気配管３１を介して主過給機４０のタービン４１に供給するとともに、副排気配管３２を介して副過給機５０のタービン５１に供給する。なお、副排気配管３２には、副タービン入口弁３３が設けられている。
【００２５】
主過給機４０は、エンジン本体１０の運転中、常に稼動する過給機である。主過給機４０は、タービン４１と、ブロワ４２とを有している。タービン４１には排気管３０から排気ガスが供給され、この排気ガスのエネルギによりタービン４１は回転する。タービン４１とブロワ４２は連結シャフト４３により連結されており、タービン４１の回転に伴ってブロワ４２も回転する。ブロワ４２が回転すると、外部から取り込んだ空気（外気）が昇圧され、昇圧された空気は掃気ガスとして主掃気配管４４を介して掃気管２０に供給される。なお、主掃気配管４４には、掃気ガスを冷却するエアクーラ４５が設けられている。
【００２６】
副過給機５０は、エンジン本体１０の運転状態に応じて、稼動又は停止する過給機である。副過給機５０は、主過給機４０と並列に配置されている。副過給機５０は、主過給機４０と同じ構造であって、連結シャフト５３によって連結されたタービン５１とブロワ５２とを有している。本実施形態の副過給機５０は、主過給機４０と同じ仕様（容量）であるが、異なる仕様であってもよい。副過給機５０で昇圧された外気は、掃気ガスとして副掃気配管５４および主掃気配管４４を介して掃気管２０に供給される。なお、副掃気配管５４には、副ブロワ出口弁５５が設けられている。また、副掃気配管５４の副ブロワ出口弁５５よりも上流側の部分には、ブロワ５２で昇圧された空気を外部へ放出する放風配管５６が連結されている。この放風配管５６には、放風弁５７が設けられている。
【００２７】
圧縮空気タンク６０は、内部に圧縮空気を保有するタンクである。本実施形態の圧縮空気タンク６０は、エンジン始動用の圧縮空気を保有するタンクである。ここでいう「エンジン始動用の圧縮空気」には、エアースタータを駆動する空気源となる圧縮空気、及び、エンジン本体１０のシリンダ１１に直接供給されてピストン１２を駆動する始動弁用圧縮空気が含まれる。大型の２サイクルディーゼルエンジンを搭載する船舶は、エンジン始動用の圧縮空気を保有するタンクを備えているのが一般的である。つまり、このような船舶であれば、別途圧縮空気タンクを設ける必要がない。
【００２８】
圧縮空気供給配管６１は、圧縮空気タンク６０が保有する圧縮空気を掃気管２０に供給する配管である。本実施形態の圧縮空気供給配管６１は、圧縮空気タンク６０と掃気管２０を直接連結しているが、圧縮空気タンク６０と主掃気配管４４とを連結してもよく、圧縮空気タンク６０と副掃気配管５４の副ブロワ出口弁５５よりも下流の部分とを連結してもよく、圧縮空気タンク６０とエアクーラ４５を連結してもよい。いずれの構成であっても、圧縮空気供給配管６１は、圧縮空気タンク６０が保有する圧縮空気を掃気管２０に供給することができる。
【００２９】
圧縮空気制御弁６２は、圧縮空気供給配管６１に設けられた弁であり、開放することにより圧縮空気タンク６０が保有する圧縮空気を掃気管２０に供給することができる。圧縮空気制御弁６２を開閉するタイミングについては後述する。なお、圧縮空気供給配管６１のうち圧縮空気制御弁６２よりも下流には逆止弁６４が設けられている。この逆止弁６４は、圧縮空気が掃気管２０に向って流れるのを許容する一方、掃気ガスが圧縮空気タンク６０に向かって流れるのを防ぐことができる。
【００３０】
圧力調整弁６３は、圧縮空気供給配管６１の出口圧力を調整する弁である。圧力調整弁６３は、圧縮空気供給配管６１の圧縮空気制御弁６２よりも上流側の２カ所に設けられている。上流側の圧力調整弁６３は圧縮空気タンク６０から供給される圧縮空気の圧力を一定程度下げる役割を有している。また、下流側の圧力調整弁６３は圧縮空気供給配管６１の出口圧力を微調整する役割を有している。なお、圧力調整弁６３は1カ所にのみ設けられていてもよい。
【００３１】
＜制御系の構成＞
次に、エンジンシステム１００の制御系の構成について説明する。図２は、エンジンシステム１００の制御系のブロック図である。図２に示すように、エンジンシステム１００は、エンジンシステム１００全体を制御する制御装置７０を備えている。制御装置７０は、例えばＣＰＵ、ＲＯＭ、ＲＡＭ等によって構成されている。
【００３２】
制御装置７０は、作業者が操作する運転操作盤７１、エンジン回転計１３、燃料流量計１４、及び掃気圧計２１と電気的に接続されている。制御装置７０は、これらの機器から送信される入力信号に基づいて、種々の演算を行い、エンジンシステム１００の各部を制御する。本実施形態では、制御装置７０は、副タービン入口弁３３、副ブロワ出口弁５５、放風弁５７、圧縮空気制御弁６２、及び圧力調整弁６３と電気的に接続されており、各種の演算等の結果に基づいて、これらの機器へ制御信号を送信する。
【００３３】
制御装置７０は、機能的な構成として、台数削減制御部７２と、台数増加制御部７３と、圧縮空気供給制御部７４と、を有している。以下、各制御部について順に説明する。
【００３４】
＜台数削減制御部＞
台数削減制御部７２は、過給機の稼動台数を減らす台数削減制御を行う部分である。台数削減制御は、エンジン負荷を高負荷（例えば、エンジン負荷１００％）から中負荷又は低負荷（例えば、エンジン負荷５０％）へ移行した後に行われる。本実施形態では、作業者の操作によって台数削減制御が開始されるが、自動で開始されるようにしてもよい。
【００３５】
台数削減制御では、主過給機４０を稼動させた状態で副過給機５０を停止させることにより、過給機の稼動台数を減らす。具体的には、開放されている副タービン入口弁３３を閉止することにより、排気ガスが副過給機５０のタービン５１に供給されなくなり、副過給機５０が停止する。また、副タービン入口弁３３を閉める際には、副ブロワ出口弁５５も閉止する。これにより、主過給機４０で昇圧された空気が副過給機５０のブロワ５２に流れるのを防ぐことができる。ただし、副ブロワ出口弁５５を閉めると副過給機５０のブロワ５２の背圧が高くなる結果、サージが起きるおそれがある。そのため、副ブロワ出口弁５５を閉止したときには、放風弁５７もあわせて開放し、副過給機５０で昇圧した空気を外部に放出する。これにより、副過給機５０のブロワ５２の背圧が高くなるのが抑えられ、サージを回避することができる。
【００３６】
図３の破線は、エンジン負荷が中負荷のときに台数削減制御を開始した後の掃気圧の時間変化を示している。ただし、図３で示す値は概念的なものであり、実際の値とは必ずしも一致しない（以下で説明する他のグラフも同様）。台数削減制御により、主過給機４０と副過給機５０の両方が稼動する並列運転から、主過給機４０のみが稼動する稼動単独運転へ移行することになる。図中の符号Ｐｗで示す値は、並列運転時の定常状態での掃気圧（以下、「並列掃気圧」と称す）である。また、符号Ｐｓで示す値は、単独運転時の定常状態での掃気圧（以下、「単独掃気圧」と称す）である。図３は中負荷の例であるが、主過給機４０のみが稼動できる全ての負荷において、並列掃気圧Ｐｗよりも単独掃気圧Ｐｓの方が大きい。
【００３７】
並列運転から単独運転へ移行する間の運転を「単独移行運転」と呼ぶこととすると、図３の破線で示すように、単独移行運転時の掃気圧は、並列掃気圧Ｐｗから単独掃気圧Ｐｓへと緩やかに上昇するのではなく、並列掃気圧Ｐｗよりも低い値に一旦落ち込む。これは、副過給機５０で昇圧した空気が外部に放出されて掃気管２０に供給されないことが主な原因である。掃気圧の落ち込みが大きい場合には、エンジン本体１０の効率が低下し、場合によっては失火に至るおそれがある。
【００３８】
＜台数増加制御部＞
台数増加制御部７３は、過給機の稼動台数を増やす台数増加制御を行う部分である。稼動台数増加制御は、エンジン負荷を中負荷又は低負荷から高負荷へ移行する前に行われる。本実施形態では、作業者の操作によって台数増加制御が開始されるが、自動で開始されるようにしてもよい。エンジン負荷を増加する前に、あらかじめ副過給機５０を稼動させ、稼動する過給機の台数を増やすことにより、高負荷における主過給機４０のオーバースピードを防ぐことができる。
【００３９】
台数増加制御では、主過給機４０が稼動した状態で副過給機５０を始動させることにより、過給機の稼動台数を増やす。具体的には、閉止されている副タービン入口弁３３を開放することにより、排気ガスが副過給機５０のタービン５１に供給され、副過給機５０は始動する。なお、台数増加制御を開始するときは、副ブロワ出口弁５５は閉じた状態にある。そのため、この場合も副過給機５０のタービン５１にサージが発生しないように放風弁５７を開放し、副過給機５０で昇圧した空気を外部へ放出する。
【００４０】
図４の破線は、エンジン負荷が中負荷のときに台数増加制御を開始した後の掃気圧の時間変化を示している。台数増加制御により、単独運転から並列運転へ移行することになる。単独運転から並列運転へ移行する間の運転を「並列移行運転」と呼ぶこととすると、図４の破線で示すように、並列移行運転時の掃気圧は、単独掃気圧Ｐｓから並列掃気圧Ｐｗへ緩やかに移行するのではなく、並列掃気圧Ｐｗよりも低い値に一旦落ち込む。これは、副過給機５０で昇圧した空気が外部に放出されて掃気管２０に供給されないことが主な原因であり、また、副過給機５０の立ち上がりに時間がかかることも影響している。掃気圧の落ち込みが大きい場合には、エンジン本体１０の効率が低下し、場合によっては失火に至るおそれがある。
【００４１】
＜圧縮空気供給制御部＞
圧縮空気供給制御部７４は、掃気管２０に圧縮空気を供給して掃気圧の低下を防ぐ圧縮空気供給制御を行う部分である。図５は、圧縮空気供給制御の方法を示したフローチャートである。図５を参照して、圧縮空気供給制御について説明する。以下で説明する演算及び制御は、圧縮空気供給制御部７４によって遂行される。
【００４２】
圧縮空気供給制御は、台数削減制御又は台数増加制御（以下、両制御を総合して「台数切替制御」と称す）が行われるのと同時に開始される。つまり、作業者の操作によって運転操作盤７１から制御装置７０へ台数切替制御の開始を指示する信号が送信されると、圧縮空気供給制御の処理が開始される。
【００４３】
処理が開始されると、圧縮空気供給制御部７４は、台数切替制御が開始されてから予め設定された供給開始時間ｔ１が経過したか否かを判定する（ステップＳ１）。台数切替制御が開始されてから供給開始時間ｔ１が経過していないと判定した場合は（ステップＳ１でＮＯ）、ステップＳ１を繰り返す。
【００４４】
一方、台数切替制御が開始されてから供給開始時間ｔ１が経過していると判定した場合は（ステップＳ１でＹＥＳ）、圧縮空気供給制御部７４は、圧縮空気制御弁６２に制御信号を送信し、圧縮空気制御弁６２を開放する（ステップＳ２）。これにより、圧縮空気タンク６０内の圧縮空気が、一気に掃気管２０に供給される。そのため、台数切替制御時における掃気圧の低下を抑えることができる。
【００４５】
なお、本実施形態では、圧縮空気タンク６０から掃気管２０に供給する圧縮空気の圧力、すなわち圧縮空気供給配管６１の出口圧力Ｐｏは、並列掃気圧Ｐｗ以上、かつ、単独掃気圧Ｐｓ以下である。圧縮空気供給配管６１の出口圧力Ｐｏをこのように調整することで、掃気圧の低下を有効に抑えつつ、掃気圧が過上昇するのを抑えることができる。圧縮空気供給配管６１の出口圧力Ｐｏは、圧力調整弁６３によって調整することができる。
【００４６】
続いて、圧縮空気供給制御部７４は、台数切替制御が開始されてから予め設定された供給終了時間ｔ２が経過したか否かを判定する（ステップＳ３）。台数切替制御が開始されてから供給終了時間ｔ２が経過していないと判定した場合は（ステップＳ３でＮＯ）、ステップＳ３を繰り返す。
【００４７】
一方、台数切替制御が開始されてから供給終了時間ｔ２が経過している場合は（ステップＳ３でＹＥＳ）、圧縮空気供給制御部７４は、圧縮空気制御弁６２に制御信号を送信し、圧縮空気制御弁６２を閉止し（ステップＳ４）、処理が終了する。これにより、掃気管２０への圧縮空気の供給は停止される。
【００４８】
なお、上記の供給開始時間ｔ１及び供給終了時間ｔ２は、固定値であってもよく、変動値であってもよい。供給開始時間ｔ１及び供給終了時間ｔ２が固定値の場合、台数削減制御と台数増加制御で異なる値としてもよい。供給開始時間ｔ１及び供給終了時間ｔ２が変動値の場合、例えば、エンジン負荷が大きくなるに従って、供給終了時間ｔ２を遅く設定してもよい。
【００４９】
また、エンジン負荷によって並列掃気圧Ｐｗ及び単独掃気圧Ｐｓは変動するため、エンジン負荷に応じて圧縮空気供給配管６１の出口圧力Ｐｏを変更してもよい。さらに、圧縮空気タンク６０が保有する圧縮空気の圧力が変動するような場合は、圧縮空気タンク６０内の圧力を取得し、当該圧力に基づいて圧力調整弁６３の開度を調整してもよい。
【００５０】
図３の実線は、台数削減制御と同時に圧縮空気供給制御を行った場合の掃気圧の時間変化を示している。台数削減制御の条件は、図３の破線で示す場合と同じである。また、圧縮空気供給制御における供給開始時間ｔ１はゼロである。すなわち、台数削減制御の開始と同時に圧縮空気制御弁６２を開放している。また、供給終了時間ｔ２は、台数削減制御が行われている時間、すなわち単独移行運転の終了時間よりも長く設定している。さらに、圧縮空気供給配管６１の出口圧力Ｐｏは、並列掃気圧Ｐｗ以上、かつ、単独掃気圧Ｐｓ以下となるように設定している（図３の一点鎖線参照）。
【００５１】
図３の実線で示すように、台数削減制御と同時に圧縮空気供給制御を行うと、掃気管２０に圧縮空気が供給されるため、圧縮空気供給制御を行わない場合（破線）に比べ掃気圧の落ち込みが小さくなる。また、単独運転に切り換わってから比較的早い段階で、掃気圧が単独掃気圧Ｐｓ付近にまで達する。よって、エンジン本体１０の燃焼状態の悪化を抑えることができる。
【００５２】
図４の実線は、台数増加制御と同時に圧縮空気供給制御を行った場合の掃気圧の時間変化を示している。台数増加制御の条件は、図４の破線で示す場合と同じである。また、圧縮空気供給制御における供給開始時間ｔ１はゼロである。そして、供給終了時間ｔ２は、台数増加制御が行われている時間と同じ時間に設定している。さらに、圧縮空気供給配管６１の出口圧力Ｐｏは、並列掃気圧Ｐｗ以上、かつ、単独掃気圧Ｐｓ以下となるように設定している（図４の一点鎖線参照）。
【００５３】
図４の実線で示すように、台数増加制御と同時に圧縮空気供給制御を行うと、掃気管２０に圧縮空気が供給されるため、圧縮空気供給制御を行わない場合（破線）に比べ掃気圧の落ち込みが小さくなる。さらに、掃気圧が並列掃気圧Ｐｗよりも大きく下回ることがない。よって、エンジン本体１０の燃焼状態の悪化を抑えることができる。
【００５４】
なお、図４の実線で示すように、台数増加制御の初期段階では、掃気圧が圧縮空気供給配管の出口圧力Ｐｏよりも大きいため、掃気管２０へ圧縮空気を供給することはできない。このとき、掃気管２０から圧縮空気タンク６０へ掃気ガスが逆流するおそれがあるが、圧縮空気供給配管６１には逆止弁６４が設けられているため当該逆流は生じない。よって、掃気ガスが圧縮空気供給配管６１及び圧縮空気タンク６０に流れ込むことによって生じ得る不具合を防ぐことができる。
【００５５】
＜変形例＞
次に、図６を参照して、圧縮空気供給制御の変形例について説明する。図６は、変形例に係る圧縮空気供給制御の方法を示したフローチャートである。以下で説明する演算及び制御は、圧縮空気供給制御部７４によって遂行される。
【００５６】
圧縮空気供給制御は、図５の場合と同様に、台数切替制御が行われるのと同時に開始される。処理が開始されると、圧縮空気供給制御部７４は、エンジン回転計１３及び掃気圧計２１から送信される信号を読み込み、これらの信号に基づいて、エンジン負荷（エンジン回転数及び燃料噴射量から推定）並びに掃気圧を取得する（ステップＳ１１）。
【００５７】
続いて、圧縮空気供給制御部７４は、基準掃気圧を決定する（ステップＳ１２）。ここでは、並列運転時における掃気圧（すなわち並列掃気圧Ｐｗ）を基準掃気圧とする。具体的には、圧縮空気供給制御部７４は、エンジン負荷に応じた基準掃気圧を予め記憶しており、ステップＳ１１で取得したエンジン負荷に基づいて基準掃気圧を決定する。なお、基準掃気圧は、並列掃気圧Ｐｗ以外の値に決定してもよい。
【００５８】
続いて、圧縮空気供給制御部７４は、ステップＳ１１で取得した掃気圧が上記の基準掃気圧よりも小さいか否かを判定する（ステップＳ１３）。掃気圧が基準掃気圧以上の場合（ステップＳ１３でＮＯ）、圧縮空気制御弁６２を閉止する（ステップＳ１４）。一方、掃気圧が基準掃気圧よりも小さい場合（ステップＳ１３でＹＥＳ）、圧縮空気制御弁６２を開放する（ステップＳ１５）。
【００５９】
続いて、圧縮空気供給制御部７４は、台数切替制御が完了したか否かを判定する（ステップＳ１６）。台数切替制御が完了したか否かは、台数切替制御開始からの経過時間に基づいて判定してもよく、副タービン入口弁３３の開度に基づいて判定してもよく、副過給機５０の回転数に基づいて判定してもよい。台数切替制御が完了していないと判定した場合（ステップＳ１６でＮＯ）、ステップＳ１１に戻って各ステップＳ１１〜Ｓ１６を繰り返す。一方、台数切替制御が完了したと判定した場合（ステップＳ１６でＹＥＳ）、処理は終了する。
【００６０】
以上の圧縮空気供給制御によれば、掃気圧が基準掃気圧よりも低くなったときにだけ掃気管に圧縮空気が供給される。そのため、不要に圧縮空気を掃気管２０に供給することにより掃気圧が過上昇してしまうのを防ぐことができる。その結果、掃気圧を早期に安定させることができる。
【００６１】
なお、変形例に係る圧縮空気制御では、掃気圧が所定値よりも小さいか否かで圧縮空気制御弁６２を開放するか否かを決定しているが、主過給機４０の回転数が所定値よりも小さいか否かで圧縮空気制御弁６２を開放するか否かを決定してもよい。また、燃料噴射量が所定値よりも大きいか否かで圧縮空気制御弁６２を開放するか否かを決定してもよい。いずれの場合であっても、台数切替制御時における掃気圧の低下を抑えることができる。
【００６２】
本実施形態に係るエンジンシステム１００の構成は以上のとおりである。上記のように、本実施形態に係るエンジンシステム１００では、ブロワや圧縮機ではなく圧縮空気タンク６０から掃気管２０に圧縮空気を供給する。そのため、台数切替制御の際に予め昇圧されている圧縮空気を掃気管に向かって一気に噴射することができる。よって、台数切替制御時における掃気圧の低下を防ぎ、失火等を防止することができる。
【００６３】
上記の実施形態では、圧縮空気タンク６０は、エンジン始動用の圧縮空気を保有するタンクであるが、掃気管２０に圧縮空気を供給するための専用のタンクであってもよい。圧縮空気タンク６０を専用のタンクとすることで、圧縮空気の温度が高くなるような場合は、図７に示すように、圧縮空気供給配管６１をエアクーラ４５又はエアクーラ４５よりも上流の配管に連結してもよい。かかる構成によれば、圧縮空気供給配管６１から吐出された圧縮空気はエアクーラ４５を通過することで冷却されるため、圧縮空気によって掃気ガスの温度が上昇してしまうのを抑えることができる。
【００６４】
また、図７に示すような場合は、単独移行運転時又は並列移行運転時における圧縮空気供給配管６１の出口圧力は、並列運転時における定常状態での圧縮空気供給配管６１の出口付近での圧力以上、かつ、単独運転時における定常状態での圧縮空気供給配管６１の出口付近での圧力以下となるよう調整されていてもよい。なお、上記の圧縮空気供給配管６１の出口付近での圧力は、図１の掃気管２０内の圧力（掃気圧）に相当する。
【産業上の利用可能性】
【００６５】
本発明に係るエンジンシステムによれば、過給機の稼動台数を変更する際に、エンジン本体の燃焼状態の悪化を抑えることができる。よって、運転状況に応じて過給機の稼動台数を変えるエンジンシステムの技術分野において有益である。
【符号の説明】
【００６６】
１０  エンジン本体
１１  シリンダ
２０  掃気管
４０  主過給機
５０  副過給機
６０  圧縮空気タンク
６１  圧縮空気供給配管
６２  圧縮空気制御弁
６３  圧力調整弁
６４  逆止弁
１００  エンジンシステム
【図１】
0005841641.tif 000002
【図２】
0005841641.tif 000003
【図３】
0005841641.tif 000004
【図４】
0005841641.tif 000005
【図５】
0005841641.tif 000006
【図６】
0005841641.tif 000007
【図７】
0005841641.tif 000008